(57)【要約】【課題】粒状物質を受け入れるための受け入れ口と受け入れ機構とを別途に設ける必要がなく、また、より多数の粒状物質を計量して取り出すことができる。【解決手段】本体容器２２と、一端側が外部に突出する状態と本体容器２２内に没入する状態とにわたって摺動可能なスライド部材２４と、本体容器２２およびスライド部材２４により構成される容器内に多数個の粒状物質１を貯留可能とする粒状物質貯留部と、スライド部材２４の一端側の上面に所定数の粒状物質１を収容する収容部２４ｃとを備え、本体容器２２を傾けて粒状物質１を収容部２４ｃに収容可能とし、スライド部材２４を所定量だけスライドさせて収容部２４ｃに収容された粒状物質１を外部に取り出し可能とし、さらにスライド部材２４を外部に引き出して粒状物質１を外部から粒状物質貯留部に受け入れ可能なように構成した。【選択図】図１０
2010105746.tif 000002
【特許請求の範囲】
【請求項１】
粒状物質を収容して携帯するために用いられる粒状物質の携帯容器であって、
本体容器と、この本体容器に対して一端側が外部に突出する状態と本体容器内に没入する状態とにわたって摺動可能なスライド部材と、これら本体容器およびスライド部材により構成される容器内に多数個の粒状物質を貯留可能とする粒状物質貯留部と、上記スライド部材の上記一端側の上面に、所定数の粒状物質を収容する収容部と、前記スライド部材の前記本体容器に対する位置決めを行うスライド部材位置決め手段とを備え、
前記スライド部材をスライドさせることにより、前記スライド部材を前記本体容器内部に収納させた収納姿勢と、前記スライド部材を所定量だけスライドさせて入出口から収容部を外部に露出させた取り出し姿勢と、前記取り出し姿勢からさらに前記スライド部材を外部に引き出した受け入れ姿勢との間で姿勢変更させることが可能であって、
前記収納姿勢では本体容器を傾けて本体容器内部にある粒状物質を上記収容部に収容可能とし、前記取り出し姿勢では収容部に収容された粒状物質を外部に取り出し可能とし、前記受け入れ姿勢では上記粒状物質貯留部に通じる開口が外部に露出して粒状物質を外部から粒状物質貯留部に受け入れ可能とし、かつ、前記スライド部材位置決め手段は前記本体容器側に設けられた複数のスライド部材係止突起と、スライド部材に設けられた係止板とを備え、前記複数のスライド部材係止突起に対する前記係止板の係止位置を変更することで、前記スライド部材の収納姿勢と、取り出し姿勢と、受け入れ姿勢の各姿勢において前記位置決めを行うように構成され、
更に、前記収容部は前記所定数の粒状物質を１個ずつ各別に保持する凹部を前記所定数と同じ数で有し、これらの凹部が二次元的であって前記スライド部材をスライドさせる方向に沿うように配列されていることを特徴とする粒状物質の携帯容器。
【請求項２】
上記スライド部材は、スライド部材の底部から収容部の凹部に粒状物質を案内するための勾配形状を有するスライド部材側スロープを形成したことを特徴とする請求項１に記載の粒状物質の携帯容器。
【請求項３】
上記スライド部材側スロープは、スライド部材の底部に立設される複数のスライド部材側リブの頂部の集合から上記勾配形状を形成したことを特徴とする請求項２に記載の粒状物質の携帯容器。
【請求項４】
上記本体容器は、スライド部材を摺動可能に保持するレール部を有し、
上記スライド部材は、このレール部に対して摺動可能に嵌合する溝部を有し、
上記レール部に沿ってスライド部材をスライドさせることにより、スライド部材を収納姿勢と、取り出し姿勢と、受け入れ姿勢との間で姿勢変更させることを特徴とする請求項１ないし請求項３のいずれかに記載の粒状物質の携帯容器。
【請求項５】
上記本体容器は、頂部に窪み形状からなる押さえ部を有し、
この押さえ部を外部から押さえた状態でスライド部材をスライドさせることにより、スライド部材を収納姿勢と、取り出し姿勢と、受け入れ姿勢との間で姿勢変更させることを特徴とする請求項１ないし請求項４のいずれかに記載の粒状物質の携帯容器。
【発明の詳細な説明】
【技術分野】
【０００１】
本発明は、タブレット状に形成された医薬、栄養補助食品、その他の食品などの粒状物質を収容して携帯するために用いられる粒状物質の携帯容器に関するものである。
【背景技術】
【０００２】
タブレット状に形成された医薬、栄養補助食品、その他の食品など粒状物質を収容して携帯するために用いられる粒状物質の携帯容器として、例えば、特許文献１には、粒状物質を収容する本体容器と、この本体容器に設けられた入出口と、一端側が入出口から外部に突出する状態と本体容器内に没入する状態とにわたって摺動可能なスライド部材とを備え、このスライド部材をスライドさせて入出口から粒状物質の収容部を外部に露出させることによって収容部に収容された粒状物質を外部に取り出し可能とした錠剤ケースの技術が開示されている。
【先行技術文献】
【特許文献】
【０００３】
【特許文献１】特開平１１−１６５７７５
【発明の概要】
【発明が解決しようとする課題】
【０００４】
しかしながら、上述の粒状物質の携帯容器では、本体容器の内部に充填された粒状物質を取り出し口から取り出す構成のみに着眼しており、開示された取り出し口とスライド部材との構成は、本体容器に粒状物質を再充填することが容易でなかった。そのため上述の粒状物質の携帯容器では、取り出し口以外に別途受け入れ口と受け入れ機構とを設ける必要があった。
【０００５】
また、偏平な本体容器を立てた状態でスライド部材の収容部に錠剤を収容する構成になっているので、粒状物質の収容部の数に限りがあり、せいぜい２〜３個引き出せる程度であった。
【０００６】
本発明は上記不具合に鑑みてなされたものであり、本体容器の内部に粒状物質を受け入れるための受け入れ口と受け入れ機構とを別途に設ける必要がなく、また、より多数の粒状物質を計量して取り出すことができる粒状物質の携帯容器を提供することを課題としている。
【課題を解決するための手段】
【０００７】
上記課題を解決するための本発明は、粒状物質を収容して携帯するために用いられる粒状物質の携帯容器であって、本体容器と、この本体容器に対して一端側が外部に突出する状態と本体容器内に没入する状態とにわたって摺動可能なスライド部材と、これら本体容器およびスライド部材により構成される容器内に多数個の粒状物質を貯留可能とする粒状物質貯留部と、上記スライド部材の上記一端側の上面に、所定数の粒状物質を収容する収容部と、前記スライド部材の前記本体容器に対する位置決めを行うスライド部材位置決め手段とを備え、前記スライド部材をスライドさせることにより、前記スライド部材を前記本体容器内部に収納させた収納姿勢と、前記スライド部材を所定量だけスライドさせて入出口から収容部を外部に露出させた取り出し姿勢と、前記取り出し姿勢からさらに前記スライド部材を外部に引き出した受け入れ姿勢との間で姿勢変更させることが可能であって、前記収納姿勢では本体容器を傾けて本体容器内部にある粒状物質を上記収容部に収容可能とし、前記取り出し姿勢では収容部に収容された粒状物質を外部に取り出し可能とし、前記受け入れ姿勢では上記粒状物質貯留部に通じる開口が外部に露出して粒状物質を外部から粒状物質貯留部に受け入れ可能とし、かつ、前記スライド部材位置決め手段は前記本体容器側に設けられた複数のスライド部材係止突起と、スライド部材に設けられた係止板とを備え、前記複数のスライド部材係止突起に対する前記係止板の係止位置を変更することで、前記スライド部材の収納姿勢と、取り出し姿勢と、受け入れ姿勢の各姿勢において前記位置決めを行うように構成され、更に、前記収容部は前記所定数の粒状物質を１個ずつ各別に保持する凹部を前記所定数と同じ数で有し、これらの凹部が二次元的であって前記スライド部材をスライドさせる方向に沿うように配列されていることを特徴とする粒状物質の携帯容器である。
【０００８】
本発明によれば、スライド部材の一端側の上面に、粒状物質を収容する収容部とを備えているので、多数の粒状物質を本体容器の外部に取り出し可能とすることができる。また、スライド部材を所定量だけスライドさせて入出口から収容部を外部に露出させた取り出し姿勢では、収容部に収容された粒状物質を外部に取り出し可能とし、取り出し姿勢からさらにスライド部材を外部に引き出した受け入れ姿勢では、上記粒状物質貯留部に通じる開口が外部に露出して粒状物質を外部から粒状物質貯留部に受け入れ可能なように構成したので、本体容器の内部に粒状物質を受け入れるための受け入れ口と受け入れ機構とを別途に設ける必要がない。更に、収容部の凹部が粒状物質を一個ずつ保持するので、スライド部材を一回操作する毎に凹部の一定の数量だけ粒状物質を取り出すことができる結果、使用者はその都度粒状物質を数える煩わしさから解放される。更にまた、上記本体容器とスライド部材との間に、スライド部材の本体容器に対する位置決めを行うスライド部材位置決め手段を備えているので、常に各姿勢の状態に本体容器とスライド部材とを保持する必要が無く、操作性の良い粒状物質の携帯容器とすることができる。更にまた、本体容器側に設けられた複数のスライド部材係止突起と、スライド部材に設けられた係止板とを係合させるという簡単な構成でスライド部材の本体容器に対する位置決めを行うことができる。
【０００９】
また、本発明においては、上記スライド部材は、スライド部材の底部から収容部の凹部に粒状物質を案内するための勾配形状を有するスライド部材側スロープを形成するように構成してもよい。
【００１０】
この好ましい態様によれば、勾配形状を有するスライド部材側スロープにより、スライド部材の底部から収納姿勢にあるスライド部材の収容部に粒状物質を案内するので、スライド部材の底部に粒状物質が滞留することを防止することができる結果、最後の一個まで支障なく取り出すことができる。
【００１１】
また、上記スライド部材側スロープは、スライド部材の底部に立設される複数のスライド部材側リブの頂部の集合から上記勾配形状を形成していることが好ましい。
【００１２】
この好ましい態様によれば、スライド部材の底部に立設される複数のスライド部材側リブの頂部の集合からスライド部材側スロープの勾配形状が形成されるので、スリットが多数設けられた構造になる結果、スライド部材全体を軽量化するとともに、前後の重量バランスのよい粒状物質の携帯容器とすることができる。
【００１３】
そして、上記本体容器は、スライド部材を摺動可能に保持するレール部を有し、上記スライド部材は、このレール部に対して摺動可能に嵌合する溝部を有し、上記レール部に沿ってスライド部材をスライドさせることにより、スライド部材を収納姿勢と、取り出し姿勢と、受け入れ姿勢との間で姿勢変更させることが好ましい。
【００１４】
この好ましい態様によれば、本体容器のレール部に沿ってスライド部材をスライドさせるという簡単な構成により、スライド部材を収納姿勢と、取り出し姿勢と、受け入れ姿勢との間で姿勢変更させることができる。
【００１５】
また、上記本体容器は、頂部に窪み形状からなる押さえ部を有し、この押さえ部を外部から押さえた状態でスライド部材をスライドさせることにより、スライド部材を収納姿勢と、取り出し姿勢と、受け入れ姿勢との間で姿勢変更させることが好ましい。
【００１６】
この好ましい態様によれば、押さえ部を外部から押さえた状態でスライド部材をスライドさせるので、より容易にスライド部材を収納姿勢と、取り出し姿勢と、受け入れ姿勢との間で姿勢変更させることができる。
【発明の効果】
【００１７】
本発明によれば、粒状物質を受け入れるための受け入れ口と受け入れ機構とを別途に設ける必要がなく、また、より多数の粒状物質を計量して取り出すことができるという顕著な効果を奏する。
【図面の簡単な説明】
【００１８】
【図１】本発明の基本構成における粒状物質の携帯容器の構成を示す斜視図である。
【図２】粒状物質の携帯容器の内部の構成を示す斜視図である。
【図３】粒状物質の携帯容器の本体容器の頂部の構成を示す斜視図である。
【図４】粒状物質の携帯容器の操作部の構成を示す斜視図である。
【図５】本発明の基本構成における粒状物質の携帯容器の収納姿勢を示す断面図である。
【図６】本発明の基本構成における粒状物質の携帯容器の取り出し姿勢を示す断面図である。
【図７】本発明の基本構成における粒状物質の携帯容器の受け入れ姿勢を示す断面図である。
【図８】本発明の実施の形態に係る粒状物質の携帯容器２０の構成を示す斜視図である。
【図９】本発明の実施の形態に係る粒状物質の携帯容器２０の構成を示す構造図であり、（ａ）は、平面図を、（ｂ）は、側面図を、（ｃ）は、端面図をそれぞれ示している。
【図１０】本発明の実施の形態に係る粒状物質の携帯容器２０の構成を示す断面図である。
【図１１】本発明の実施の形態に係る粒状物質の携帯容器２０の作用を示す断面図であり、（ａ）は、取り出し姿勢を示す断面図である。また、（ｂ）は、受け入れ姿勢を示す断面図である。
【発明を実施するための形態】
【００１９】
以下、添付図面を参照しながら本発明の好ましい実施の形態について詳述する。図１は本発明の基本構成における粒状物質の携帯容器１０の構成を示す斜視図であり、図２は粒状物質の携帯容器１０の内部の構成を示す斜視図である。また、図３は粒状物質の携帯容器１０の本体容器２の頂部の構成を示す斜視図である。そして、図４は粒状物質の携帯容器１０の操作部７ｂの構成を示す斜視図であり、図５は本発明の基本構成における粒状物質の携帯容器１０の収納姿勢を示す断面図である。
【００２０】
図１を参照して、図示の本発明の基本構成の粒状物質の携帯容器１０は、粒状物質１を収容して携帯するために用いられるものであって、粒状物質１を収容する本体容器２と、この本体容器２に設けられた入出口３と、本体容器２に対して摺動可能なスライド部材４とを備えている。また、これら本体容器２およびスライド部材４により構成される容器内に多数個の粒状物質１を貯留可能とする粒状物質貯留部９（図２）と、スライド部材４の一端側の上面に、所定数の粒状物質を収容する収容部４ｃとを備えている。
【００２１】
上記粒状物質１としては、タブレット状に形成された医薬、栄養補助食品、その他の食品などについて適用可能であり、本実施形態では、漢方薬のダラニスケの丸薬が対象となっている。
【００２２】
上記本体容器２は、水平断面が楕円形の偏平な合成樹脂製の容器であり、上記粒状物質１を所定の数量だけ充填可能な容量を有している。このように、上記粒状物質貯留部９（図２）は、本発明の基本構成では、本体容器２の内部に形成されている。
【００２３】
上記入出口３は、上記粒状物質１を上記本体容器２から取り出すために本体容器２の一端に設けられた概ね矩形の開孔であり、粒状物質１を後述する受け入れ部４ｄから上記本体容器２に充填するための充填孔をも兼ねている。
【００２４】
上記スライド部材４は、所定数の粒状物質１を保持しながら、本体容器２に対して一端側が外部に突出する状態と本体容器２内に没入する状態とにわたって摺動可能に構成された概ね板状の合成樹脂製の部材であり、一方の端部４ａの上面４ｂに上記収容部４ｃを有している。そして、この収容部４ｃは、粒状物質１を一個ずつ保持する凹部４ｅを所定数だけ二次元的に配列している。
【００２５】
また、このスライド部材４には、収容部４ｃの本体容器２側に設けられ上方と本体容器２側とを開放して粒状物質１を上方から本体容器２内部に受け入れ可能な受け入れ部４ｄを有している。
【００２６】
そして、図示の本発明の基本構成の粒状物質の携帯容器１０は、スライド部材４を本体容器２内部に収納させた収納姿勢により、本体容器２を傾けて本体容器２内部にある粒状物質１を上記収容部４ｃに収容し、スライド部材４をスライドさせて入出口３から収容部４ｃを外部に露出させた取り出し姿勢により、収容部４ｃに収容された粒状物質１を外部に取り出すことが可能となっている。また、取り出し姿勢からさらにスライド部材４を外部に引き出して受け入れ部４ｄを外部に露出させた受け入れ姿勢により、粒状物質１を外部から本体容器２の内部に受け入れることが可能に構成されている。
【００２７】
次に、図２を参照して、上記スライド部材４の上記一方の端部４ａと反対側の他方の端部４ｆは、受け入れ部４ｄの底部４ｇから本体容器２の底部２ａに斜めに下る勾配形状の縁部４ｈを有し、スライド部材４を受け入れ姿勢から収納姿勢に収納する際は、勾配形状の縁部４ｈにより、粒状物質１を上方に排除しながらスライド部材４を収納するように構成されている。
【００２８】
そして本体容器２は、図示の収納姿勢においてスライド部材４の収容部４ｃと受け入れ部４ｄとの両側方に、本体容器２の底部２ａから収容部４ｃの凹部に粒状物質１を案内するための勾配形状を有するスロープ５を形成している。
【００２９】
上記スロープ５は、本体容器２の底部２ａに立設される複数のリブ５ａの頂部の集合から上記勾配形状を形成している。
【００３０】
また、本体容器２は、スライド部材４を収納姿勢と、取り出し姿勢と、受け入れ姿勢との間で姿勢変更させるために、頂部に直線状のスライド孔６（図３）を有し、スライド部材４は、上記スライド孔６を貫通して外部に露出する操作部材７（図５）に連結され、この操作部材７を外部から操作してスライド孔６に沿ってスライドさせることにより、スライド部材４を収納姿勢と、取り出し姿勢と、受け入れ姿勢との間で姿勢変更させる構成になっている。
【００３１】
また、図２〜図５を参照して（主に図５）、上記操作部材７は、本体容器２内部に設けられ、上記受け入れ部４ｄの底部４ｇに立設される楕円柱状の操作棒７ａと、本体容器２外部に設けられ、操作棒７ａの上端に連結される概略楕円板形状の合成樹脂製の操作部７ｂとを嵌め合わせることにより形成されており、上記操作部７ｂは、操作棒７ａに嵌め合わせるための支柱７ｃを備えるとともに表面に多数の凹凸からなる滑り止め手段７ｄが設けられている。
【００３２】
また、常に各姿勢の状態にスライド部材４と操作部材７とを保持する必要が無く、操作性の良い粒状物質の携帯容器１０とすることができるようにするために、操作部７ｂの裏面に設けられた係止突起８ａ（図４）と、本体容器２のスライド孔６の近傍に設けられた係止溝８ｂ（図３）とからなる位置決め手段８が設けられている。そして、係止突起８ａと係止溝８ｂとを互いに着脱自在に係合させることにより、スライド部材４の収納姿勢と、取り出し姿勢との各姿勢において操作部材７およびスライド部材４の本体容器２に対する位置決めを行うように構成されている。なお、本基本構成では、受け入れ姿勢に対する係止溝８ｂは省略されているが、係止突起８ａがスライド孔６の端部６ａに当接することによりスライド部材４の本体容器２に対する位置決めが行われる。
【００３３】
次に図５〜７を参照して、本発明の基本構成における粒状物質の携帯容器１０の作用について説明する。
【００３４】
図５は本発明の基本構成における粒状物質の携帯容器１０の収納姿勢を示す断面図である。この収納姿勢は、スライド部材４を本体容器２内部に収納させた状態であり、この姿勢により、粒状物質の携帯容器１０は、本体容器２を傾けて本体容器２内部にある粒状物質１を収容部４ｃに収容することが可能となる。
【００３５】
この時、本体容器２において収納姿勢にあるスライド部材４の収容部４ｃの両側方に、粒状物質１を案内するための勾配形状を有するスロープ５が、収容部４ｃの両側方に形成されているので、本体容器２の底部２ａから収容部４ｃの凹部に粒状物質１が案内されるようになっている。
【００３６】
そして、粒状物質１を外部に取り出す際には、表面に滑り止め手段７ｄを設けた操作部７ｂを外部から操作してスライド孔６に沿ってスライドさせ、操作部７ｂの裏面に設けられた係止突起８ａ（図４）と、本体容器２のスライド孔６の近傍に設けられた係止溝８ｂ（図３）とを係合させる位置決め手段８により、操作部材７およびスライド部材４の本体容器２に対する位置決めを行ってスライド部材４を次の取り出し姿勢に姿勢変更する。
【００３７】
図６は、この取り出し姿勢を示す断面図である。この取り出し姿勢は、スライド部材４をスライドさせて入出口３から収容部４ｃを外部に露出させた状態であり、この姿勢により、粒状物質の携帯容器１０は、収容部４ｃに収容された粒状物質１を外部に取り出し可能となる。
【００３８】
この時、スライド部材４の収容部４ｃには粒状物質１を一個ずつ保持する凹部４ｅが所定数配列されているので、スライド部材４を一回操作する毎に凹部４ｅの一定の数量だけ粒状物質１を取り出すことができる。
【００３９】
そして、粒状物質１を内部に充填する際には、操作部７ｂを外部から操作してスライド孔６に沿ってさらにスライドさせ、操作部７ｂの裏面に設けられた係止突起８ａ（図４）と、本体容器２のスライド孔６の近傍に設けられた係止溝８ｂ（図３）とを係合させる位置決め手段８により、操作部材７およびスライド部材４の本体容器２に対する位置決めを行って、スライド部材４を次の受け入れ姿勢に姿勢変更させる。
【００４０】
図７は、この受け入れ姿勢を示す断面図である。この受け入れ姿勢は、取り出し姿勢からさらにスライド部材４を外部に引き出して受け入れ部４ｄを外部に露出させた状態であり、この姿勢により、受け入れ部４ｄを介して粒状物質１を上方から本体容器２内部に受け入れ可能となる。
【００４１】
そして、上記取り出し姿勢や上記受け入れ姿勢から再び収納姿勢に戻る際には、操作部７ｂを外部から操作してスライド孔６に沿ってスライドさせることにより、スライド部材４を図１の収納姿勢に姿勢変更させる。この時、受け入れ部４ｄの底部４ｇから本体容器２の底部２ａに斜めに下る勾配形状の縁部４ｈにより、粒状物質１を上方に排除しながらスライド部材４が収納され、本体容器２の底部２ａに滞留している粒状物質１をスライド部材４の他方の端部４ｆで圧縮したり噛み込んだりすることを回避する。
【００４２】
このように、本発明の基本構成における粒状物質の携帯容器１０によれば、収納姿勢と取り出し姿勢とにおいて、スライド部材４が、一方の端部４ａの上面４ｂに粒状物質１を収容する上方開口有底の複数の収容部４ｃを二次元的に配列しているので、より多数の粒状物質１を収容部４ｃに収容可能かつ本体容器２の外部に取り出し可能とすることができる。
【００４３】
また、受け入れ姿勢において、受け入れ部４ｄを介して粒状物質１を上方から本体容器２内部に受け入れ可能な構成になっているので、本体容器２の内部に粒状物質１を受け入れるための受け入れ口と受け入れ機構とを別途に設ける必要がない。
【００４４】
次に、収納姿勢にあるスライド部材４の収容部４ｃの凹部に本体容器２の底部２ａから粒状物質１を案内するための勾配形状を有するスロープ５が、本体容器２において収容部４ｃの両側方に形成されているので、収納姿勢においてスライド部材４の収容部４ｃの両側方に粒状物質１が滞留することを防止することができる結果、最後の一個まで支障なく取り出すことができる。
【００４５】
また、本体容器２の底部２ａに立設される複数のリブ５ａの頂部の集合からスロープ５の勾配形状を形成しているので、スリットが多数設けられた構造になる結果、本体容器２全体を軽量化するとともに、前後の重量バランスのよい粒状物質の携帯容器１０とすることができる。
【００４６】
また、スライド部材４の他方の端部４ｆが、受け入れ部４ｄの底部４ｇから本体容器２の底部２ａに斜めに下る勾配形状の縁部４ｈを有しており、勾配形状の縁部４ｈにより、粒状物質１を上方に排除しながらスライド部材４を収納するので、本体容器２の底部２ａに滞留している粒状物質１をスライド部材４の他方の端部４ｆで圧縮したり、スライド部材４のスライドする溝と他方の端部４ｆとの間に噛み込んだりすることを回避してスムースにスライド部材４を操作することができる。
【００４７】
また、スライド部材４の収容部４ｃに粒状物質１を一個ずつ保持する凹部４ｅが所定数配列されているので、スライド部材４を一回操作する毎に凹部４ｅの一定の数量だけ粒状物質１を取り出すことができる結果、使用者はその都度粒状物質１を数える煩わしさから解放される。
【００４８】
さらに、本体容器２の頂部に設けられた直線状のスライド孔６を貫通して外部に露出する操作部材７にスライド部材４が連結されており、この操作部材７を外部から操作してスライド孔６に沿ってスライドさせるという簡単な構成により、スライド部材４を収納姿勢と、取り出し姿勢と、受け入れ姿勢との間で姿勢変更させることができる。
【００４９】
また、収納姿勢と、取り出し姿勢と、受け入れ姿勢の各姿勢において操作部材７およびスライド部材４の本体容器２に対する位置決めを行う位置決め手段８が、本体容器２と操作部材７との間に設けられているので、常に各姿勢の状態にスライド部材４と操作部材７とを保持する必要が無く、操作性の良い粒状物質の携帯容器１０とすることができる。
【００５０】
そして、操作部７ｂの裏面に設けられた係止突起８ａと、本体容器２のスライド孔６の近傍に設けられた係止溝８ｂとを係合させるという簡単な構成で操作部材７およびスライド部材４の本体容器２に対する位置決めをすることができる。
【００５１】
次に、図８〜図１１を参照して、本発明の実施の形態に係る粒状物質の携帯容器２０について詳述する。図８は本発明の実施の形態に係る粒状物質の携帯容器２０の構成を示す斜視図である。また、図９は粒状物質の携帯容器２０の構成を示す構造図であり、（ａ）は、平面図を、（ｂ）は、側面図を、（ｃ）は、端面図をそれぞれ示している。また、図１０は粒状物質の携帯容器２０の構成を示す断面図である。なお以下の説明では、本発明の基本構成の粒状物質の携帯容器１０と同様の部材には同一の符号を付し、重複する説明を省略するものとする。
【００５２】
これらの図を参照して、図示の本実施の形態に係る粒状物質の携帯容器２０は、本体容器２２と、本体容器２２に対して摺動可能なスライド部材２４とを備えている。また、本体容器２２およびスライド部材２４により構成される容器内に形成され多数個の粒状物質１を貯留可能とする粒状物質貯留部２９と、スライド部材２４の一端側の上面に、所定数の粒状物質１を収容する収容部２４ｃとを備えている。
【００５３】
また、上記本体容器２２とスライド部材２４との間には、スライド部材２４の収納姿勢と、取り出し姿勢と、受け入れ姿勢の各姿勢においてスライド部材２４の本体容器２２に対する位置決めを行うスライド部材位置決め手段２８が設けられている。
【００５４】
上記本体容器２２は、下方が開放された箱状の合成樹脂製の容器であり、頂部に窪み形状からなる押さえ部２２ａと、両側面に、スライド部材２４を摺動可能に保持するレール部２２ｂとを有している。
【００５５】
上記スライド部材２４は、所定数の粒状物質１を保持しながら、本体容器２２に対して一端側が外部に突出する状態と本体容器２２内に没入する状態とにわたって摺動可能に構成された合成樹脂製のトレー形状の部材であり、一端側の下面に滑り止めとしての溝列部２４ａ（図９）と、両側面下方に本体容器２２のレール部２２ｂに対して摺動可能に嵌合する溝部２４ｂ（図９（ｃ））とを有している。そして、本体容器２２の押さえ部２２ａやスライド部材２４の溝列部２４ａなどを外部から操作してスライド部材２４をレール部２２ｂと溝部２４ｂとの嵌合に沿ってスライドさせることにより、スライド部材２４を収納姿勢と、取り出し姿勢と、受け入れ姿勢との間で姿勢を変更させることができるように構成されている。
【００５６】
また、スライド部材２４には、スライド部材２４の底部から収容部の凹部２４ｅに粒状物質１を案内するための勾配形状を有するスライド部材側スロープ２５が形成され、このスライド部材側スロープ２５は、スライド部材２４の底部に立設される複数のスライド部材側リブ２５ａの頂部の集合からこの勾配形状を形成している。
【００５７】
上記粒状物質貯留部２９は、本実施の形態に係る粒状物質の携帯容器２０においては、第一の実施の形態に係る粒状物質の携帯容器１０と異なり、携帯容器２０が水平の状態で主にスライド部材２４側に保持されるように形成されている。
【００５８】
上記スライド部材位置決め手段２８は、本体容器２２側に設けられた複数のスライド部材係止突起２８ａ、２８ｂ、２８ｃと、スライド部材２４に設けられた係止板２８ｄとを係合させることにより、スライド部材２４の本体容器２２に対する位置決めを行うように構成されている。
【００５９】
次に図１０と図１１とを参照して、本発明の実施の形態に係る粒状物質の携帯容器２０の作用について説明する。
【００６０】
図１０を参照して、図示の姿勢は、粒状物質の携帯容器２０の収納姿勢を示しており、本体容器２２側に設けられたスライド部材係止突起２８ａと、スライド部材２４に設けられた係止板２８ｄとが係合して、スライド部材２４の本体容器２２に対する位置決めが行われることにより、スライド部材２４が、本体容器２２に収納されている。
【００６１】
そして、この収納姿勢の状態で収容部２４ｃが下になるように本体容器２２を傾けると、スライド部材側スロープ２５の勾配形状により、粒状物質貯留部２９にある粒状物質１がスライド部材２４の底部から収容部２４ｃの凹部２４ｅに案内される。
【００６２】
次に、図１１（ａ）は、本発明の実施の形態に係る粒状物質の携帯容器２０において、取り出し姿勢を示す断面図である。
【００６３】
図１１（ａ）を参照して、粒状物質１を外部に取り出す際には、スライド部材２４をレール部２２ｂと溝部２４ｂとの嵌合に沿ってスライドさせ、本体容器２２の裏面に設けられたスライド部材係止突起２８ｂと、スライド部材２４の係止板２８ｄとを係合させることにより、スライド部材２４を図１１（ａ）の取り出し姿勢に姿勢変更する。
【００６４】
そして、この姿勢により、粒状物質１の携帯容器２０は、収容部２４ｃに収容された粒状物質１を外部に取り出すことが可能となる。
【００６５】
また、図１１（ｂ）は、本発明の実施の形態に係る粒状物質の携帯容器２０において、受け入れ姿勢を示す断面図である。
【００６６】
この姿勢においては、スライド部材２４が取り出し姿勢からさらに外部に引き出されて、受け入れ部２４ｄが外部に露出され、本体容器２２側に設けられたスライド部材係止突起２８ｃと、スライド部材２４に設けられた係止板２８ｄとが係合して、スライド部材２４の本体容器２２に対する位置決めが行われている。この受け入れ姿勢により、受け入れ部２４ｄを介して粒状物質１を上方から本体容器２２内部に受け入れ可能となる。
【００６７】
このように、本実施の形態に係る粒状物質の携帯容器２０によれば、本体容器２２のレール部２２ｂに沿ってスライド部材２４をスライドさせるという簡単な構成により、スライド部材２４を収納姿勢と、取り出し姿勢と、受け入れ姿勢との間で姿勢変更させることができる。
【００６８】
また、押さえ部２２ａを外部から押さえた状態でスライド部材２４をスライドさせるので、より容易にスライド部材２４を収納姿勢と、取り出し姿勢と、受け入れ姿勢との間で姿勢変更させることができる。
【００６９】
そして、上記本体容器２２とスライド部材２４との間に、スライド部材２４の本体容器２２に対する位置決めを行うスライド部材位置決め手段２８を備えているので、常に各姿勢の状態に本体容器２２とスライド部材２４とを保持する必要が無く、操作性の良い粒状物質１の携帯容器とすることができる。
【００７０】
また、本体容器２２側に設けられた複数のスライド部材係止突起２８ａ、２８ｂ、２８ｃと、スライド部材２４に設けられた係止板２８ｄとを係合させるという簡単な構成で操作部材およびスライド部材２４の本体容器２２に対する位置決めを行うことができる。
【００７１】
そして、勾配形状を有するスライド部材側スロープ２５により、スライド部材２４の底部から収納姿勢にあるスライド部材２４の収容部２４ｃに粒状物質１を案内するので、スライド部材２４の底部に粒状物質１が滞留することを防止することができる結果、最後の一個まで支障なく取り出すことができる。
【００７２】
また、スライド部材２４の底部に立設される複数のスライド部材側リブ２５ａの頂部の集合からスライド部材側スロープ２５の勾配形状が形成されるので、スリットが多数設けられた構造になる結果、スライド部材２４全体を軽量化するとともに、前後の重量バランスのよい粒状物質１の携帯容器とすることができる。
【００７３】
また、収容部の凹部２４ｅが粒状物質１を一個ずつ保持するので、スライド部材２４を一回操作する毎に凹部２４ｅの一定の数量だけ粒状物質１を取り出すことができる結果、使用者はその都度粒状物質１を数える煩わしさから解放される。
【００７４】
上述した実施の形態は本発明の好ましい具体例を例示したものに過ぎず、本発明は上述した実施の形態に限定されない。
【００７５】
例えば、粒状物質１としては、漢方薬のダラニスケの丸薬に限定されず、また、タブレット状に形成された医薬、栄養補助食品に必ずしも限定されない。粒状の物質であれば、その他の食品など種々の物質の適用が可能である。
【００７６】
また、本体容器２２も、必ずしも図示の形状の合成樹脂製の容器に限定されない。所定の個数の粒状物質１を充填可能な容量を有していれば形状、材質ともに種々の設計変更が可能である。
【００７７】
上記入出口３も、概ね矩形の開孔に限らず、曲線部分を有するなど種々の設計変更が可能である。
【００７８】
また、スライド部材側スロープ２５も、必ずしも図示の形状のように複数のスライド部材側リブ２５ａの頂部の集合から勾配形状を形成することに限定されない。粒状物質１が滞留することを防止するように、粒状物質１を案内するための勾配形状を有する形状であれば、例えば、一つのスロープ面を有する構造であってもよいなど、種々の設計変更が可能である。
【００７９】
また、スライド部材位置決め手段２８も、必ずしも図示の形状に限定されず、スライド部材２４の本体容器２２に対する位置決めを行うことができる構造であれば、種々の設計変更が可能である。
【００８０】
その他、本発明の特許請求の範囲内で種々の設計変更が可能であることはいうまでもない。
【符号の説明】
【００８１】
１ 粒状物質
２２ 本体容器
３ 入出口
２４ スライド部材
２４ｃ 収容部
２４ｄ 受け入れ部
２４ｅ 凹部
２０ 粒状物質の携帯容器
２５ スライド部材側スロープ
２５ａ スライド部材側リブ
２２ａ 押さえ部
２２ｂ レール部
２４ｂ 溝部
２８ スライド部材位置決め手段
２８ａ、２８ｂ、２８ｃ スライド部材係止突起
２８ｄ 係止板
【図１】
2010105746.tif 000003
【図２】
2010105746.tif 000004
【図３】
2010105746.tif 000005
【図４】
2010105746.tif 000006
【図５】
2010105746.tif 000007
【図６】
2010105746.tif 000008
【図７】
2010105746.tif 000009
【図８】
2010105746.tif 000010
【図９】
2010105746.tif 000011
【図１０】
2010105746.tif 000012
【図１１】
2010105746.tif 000013